(57)【要約】【課題】本発明は、電子機器の使い勝手を向上させる。【解決手段】本発明は、第１筐体２の第１筐体一端部に設けられた第１回動軸１６、２６と、第２筐体３の第２筐体一端部に設けられた第２回動軸１７、２７とを有する第１ヒンジ部４及び第２ヒンジ部５により、第１回動軸１６、２６及び第２回動軸１７、２７を介して第１筐体２及び第２筐体３を開閉可能に連結し、変位部により、第２筐体一面３Ａに設けられた第２表示部９を、第１筐体２及び第２筐体３の折畳状態及び背中合状態では第２筐体他端側に変位させ、第１筐体２及び第２筐体３の見開状態では第２筐体一端側へ変位させることにより、第１筐体２及び第２筐体３の見開状態で第１筐体一面２Ａ内の第１表示面６Ａ又は操作キー、及び第２筐体一面３Ａ内の第２表示面９Ａが目視される際、視線の移動量を小さくして目の疲れを低減させ、使い勝手を向上させることができる。【選択図】図２１
2012057662.tif 000002
【特許請求の範囲】
【請求項１】
第１筐体と、
第２筐体と、
上記第１筐体の第１筐体一端部に設けられた第１回動軸と、上記第２筐体の第２筐体一端部に設けられた第２回動軸とを有し、上記第１回動軸及び上記第２回動軸を介して上記第１筐体及び上記第２筐体を折畳状態から背中合状態までの範囲で開閉可能に連結するヒンジ部と、
上記第２筐体の第２筐体一面に設けられた表示部と、
上記第１筐体及び上記第２筐体の上記折畳状態及び上記背中合状態では、上記表示部を上記第２筐体の第２筐体他端側に変位させ、上記第１筐体及び上記第２筐体の見開状態では、上記表示部を上記第２筐体一端側へ変位させる変位部と
を具える電子機器。
【請求項２】
上記ヒンジ部は、
上記第１筐体の上記第１筐体一端部において第１筐体側面寄りに設けられた上記第１回動軸と、上記第２筐体の上記第２筐体一端部において第２筐体側面寄りに設けられた上記第２回動軸とを有し、
上記表示部は、
上記第２筐体の上記第２筐体一面の中央部に設けられた
請求項１に記載の電子機器。
【請求項３】
上記第１筐体及び上記第２筐体は、
等しい厚みを有し、
上記ヒンジ部は、
上記第１筐体及び上記第２筐体の上記厚みと等しい厚みを有し、上記第１筐体及び上記第２筐体の開閉に応じて姿勢を変化させ、上記第１筐体及び上記第２筐体の上記見開状態では、第１筐体一面及び上記第２筐体一面と、第１筐体他面及び第２筐体他面とから突出しないように設けられた
請求項２に記載の電子機器。
【請求項４】
上記ヒンジ部は、
上記第１筐体及び上記第２筐体の上記厚みと等しい上記厚みを有し、上記第１回動軸及び上記第２回動軸を収納するヒンジケース
を具える請求項３に記載の電子機器。
【請求項５】
上記表示部を上記第２筐体一端側へ付勢するばね
を具え、
上記変位部は、
上記ばねにより上記第２筐体一端側へ付勢された上記表示部を、上記第１筐体及び上記第２筐体の開閉に応じて変位させるように上記ヒンジ部の上記ヒンジケースに設けられたカム部でなる
請求項４に記載の電子機器。
【請求項６】
上記ヒンジ部は、
上記ヒンジケースに収納され、上記第１回動軸に固定された第１プーリと、
上記ヒンジケースに収納され、上記第２回動軸に固定された第２プーリと、
上記ヒンジケースに収納され、上記第１プーリの側面から上記第２プーリの側面に亘り八の字状に掛けられたワイヤと
を具える請求項５に記載の電子機器。
【請求項７】
上記第１筐体の上記第１筐体一面の中央部に設けられた表示部
を具える請求項６に記載の電子機器。
【発明の詳細な説明】
【技術分野】
【０００１】
本発明は電子機器に関し、例えば、第１筐体と第２筐体とが開閉可能に連結されて形成された折畳型の電子機器に適用して好適なものである。
【背景技術】
【０００２】
従来の折畳型の電子機器は、操作キーが設けられた第１部材と、ディスプレイが設けられた第２部材とがヒンジ装置を介して連結されている。ヒンジ装置内には、第１回動軸部及び第２回動軸部が並設され、当該第１回動軸部に第１部材が回動自在に枢着されると共に、第２回動軸部に第２部材が回動自在に枢着されている。
【０００３】
またヒンジ装置において第１回動軸部及び第２回動軸部には、相対回動する第１回動部及び第２回動部が設けられている。さらにヒンジ装置において第１回動部及び第２回動部は連動リンクで連結されている。
【０００４】
これによりヒンジ装置は、連動リンクにより第１回動部の回動を第２回動部に伝達して当該第１回動部及び第２回動部を連動させて回動させる。このようにして電子機器は、ヒンジ装置を介して第１部材及び第２部材を相対的に３６０度回動可能としていた（例えば、特許文献１参照）。
【先行技術文献】
【特許文献】
【０００５】
【特許文献１】特開２００８−７５７４７公報（第８頁乃至第１０頁、図７乃至図１３）
【発明の概要】
【発明が解決しようとする課題】
【０００６】
かかる構成の折畳型の電子機器は、第１部材及び第２部材が開かれて例えば、操作キーが操作されると、その操作に応じて種々の処理を実行してディスプレイに処理の実行状況を示す情報を表示している。
【０００７】
よって折畳型の電子機器は、第１部材及び第２部材が開かれて操作キーが操作された場合、ディスプレイを介して、その操作に応じた処理の実行状況を適宜確認させている。
【０００８】
ところで、一般に折畳型の電子機器では、第１部材及び第２部材が開かれて操作キーが操作される際、操作キーとディスプレイとが近いほど、操作キー及びディスプレイ上での視線の移動量を小さくして目の疲れを低減させ、使い勝手を向上させることができる。
【０００９】
ところが、従来の折畳型の電子機器は、第１部材及び第２部材の間にヒンジ装置が介在する分、操作キーとディスプレイとが大きく離れている。このため折畳型の電子機器は、第１部材及び第２部材が開かれて操作キーが操作される際、目の疲れを低減させるために操作キー及びディスプレイ上での視線の移動量を小さくし得るとは言えず、使い勝手を向上させ難いという問題があった。
【００１０】
本発明は以上の点を考慮してなされたもので、使い勝手を向上し得る電子機器を提案しようとするものである。
【課題を解決するための手段】
【００１１】
かかる課題を解決するため本発明においては、電子機器において、第１筐体の第１筐体一端部に設けられた第１回動軸と、第２筐体の第２筐体一端部に設けられた第２回動軸とを有するヒンジ部により、当該第１回動軸及び第２回動軸を介して第１筐体及び第２筐体を折畳状態から背中合状態までの範囲で開閉可能に連結し、変位部により、第２筐体の第２筐体一面に設けられた表示部を、第１筐体及び第２筐体の折畳状態及び背中合状態では第２筐体他端側に変位させ、第１筐体及び第２筐体の見開状態では第２筐体一端側へ変位させるようにした。
【００１２】
従って本発明では、第１筐体及び第２筐体の見開状態で第１筐体一面内の表示面又は操作キー、及び第２筐体一面内の表示面が目視される場合、当該第１筐体一面内の表示面又は操作キー、及び第２筐体一面内の表示面上での視線の移動量を小さくして目の疲れを低減させることができる。
【発明の効果】
【００１３】
本発明によれば、電子機器において、第１筐体の第１筐体一端部に設けられた第１回動軸と、第２筐体の第２筐体一端部に設けられた第２回動軸とを有するヒンジ部により、当該第１回動軸及び第２回動軸を介して第１筐体及び第２筐体を折畳状態から背中合状態までの範囲で開閉可能に連結し、変位部により、第２筐体の第２筐体一面に設けられた表示部を、第１筐体及び第２筐体の折畳状態及び背中合状態では第２筐体他端側に変位させ、第１筐体及び第２筐体の見開状態では第２筐体一端側へ変位させるようにしたことにより、第１筐体及び第２筐体の見開状態で第１筐体一面内の表示面又は操作キー、及び第２筐体一面内の表示面が目視される場合、当該第１筐体一面内の表示面又は操作キー、及び第２筐体一面内の表示面上での視線の移動量を小さくして目の疲れを低減させることができ、かくして使い勝手を向上し得る電子機器を実現することができる。
【図面の簡単な説明】
【００１４】
【図１】本発明による折畳形の電子機器の外観構成の一実施の形態を示す略線的斜視図である。
【図２】第１筐体のヒンジ用切欠部の構成を示す略線的上面図である。
【図３】第１筐体の軸形成部の構成を示す略線的断面図である。
【図４】第２筐体のヒンジ用切欠部及び変位用切欠部の構成を示す略線的上面図である。
【図５】第２筐体の軸形成部の構成を示す略線的断面図である。
【図６】第１ヒンジ部の外観構成を示す略線的斜視図である。
【図７】第１ヒンジ部の内部構成（１）を示す略線的断面図である。
【図８】第１ヒンジ部の内部構成（２）を示す略線的断面図である。
【図９】第１ヒンジ部による第１筐体及び第２筐体の連結の説明に供する略線的斜視図である。
【図１０】第２ヒンジ部の外観構成を示す略線的斜視図である。
【図１１】第２ヒンジ部の内部構成（１）を示す略線的断面図である。
【図１２】第２ヒンジ部の内部構成（２）を示す略線的断面図である。
【図１３】第２ヒンジ部による第１筐体及び第２筐体の連結の説明に供する略線的斜視図である。
【図１４】第１筐体及び第２筐体の開閉時の第１ヒンジ部及び第２ヒンジ部の姿勢の変化（１）の説明に供する略線図である。
【図１５】第１筐体及び第２筐体の開閉時の第１ヒンジ部及び第２ヒンジ部の姿勢の変化（２）の説明に供する略線図である。
【図１６】第１筐体及び第２筐体の開閉時の第１ヒンジ部及び第２ヒンジ部の姿勢の変化（３）の説明に供する略線図である。
【図１７】第１筐体及び第２筐体の開閉時の第１ヒンジ部及び第２ヒンジ部の姿勢の変化（４）の説明に供する略線図である。
【図１８】第１筐体及び第２筐体の開閉時の第１ヒンジ部及び第２ヒンジ部の姿勢の変化（５）の説明に供する略線図である。
【図１９】第１筐体及び第２筐体の開閉（１）の説明に供する略線的斜視図である。
【図２０】第１筐体及び第２筐体の開閉（２）の説明に供する略線的斜視図である。
【図２１】第１筐体及び第２筐体の開閉（３）の説明に供する略線的斜視図である。
【図２２】第１筐体及び第２筐体の開閉（４）の説明に供する略線的斜視図である。
【図２３】第１筐体及び第２筐体の開閉（５）の説明に供する略線的斜視図である。
【図２４】第１筐体及び第２筐体の開閉に応じた第２表示部の変位（１）の説明に供する略線的斜視図である。
【図２５】第１筐体及び第２筐体の開閉に応じた第２表示部の変位（２）の説明に供する略線的斜視図である。
【図２６】第１筐体及び第２筐体の開閉に応じた第２表示部の変位（３）の説明に供する略線的斜視図である。
【図２７】第１筐体及び第２筐体の開閉に応じた第２表示部の変位（４）の説明に供する略線的斜視図である。
【図２８】第１筐体及び第２筐体の開閉に応じた第２表示部の変位（５）の説明に供する略線的斜視図である。
【図２９】第１筐体及び第２筐体の開閉に応じた第２表示部の変位（６）の説明に供する略線的斜視図である。
【図３０】第１筐体及び第２筐体の開閉に応じた第２表示部の変位（７）の説明に供する略線的斜視図である。
【図３１】他の実施の形態による第１カム端面及び第２カム端面と、保持部の左側切欠部の底面及び右側切欠部の底面との形状を示す略線的斜視図である。
【発明を実施するための形態】
【００１５】
以下図面を用いて、発明を実施するための最良の形態（以下、これを実施の形態とも呼ぶ）について説明する。なお、説明は以下の順序で行う。
１．実施の形態
２．変形例
【００１６】
＜１．実施の形態＞
［１−１．折畳型の電子機器の外観構成］
図１において、１は全体として本発明による折畳型の電子機器を示す。かかる電子機器１は、略偏平矩形状の第１筐体２の一端部と、略偏平矩形状の第２筐体３の一端部とが、それぞれ２軸構成の第１ヒンジ部４及び第２ヒンジ部５を介して連結されている。
【００１７】
これにより電子機器１は、第１筐体２及び第２筐体３を、互いの一面２Ａ及び３Ａを合せる折畳状態から互いの他面２Ｂ及び３Ｂを合せる背中合状態までの「０」度乃至「３６０」度の範囲で開閉し得るように形成されている。
【００１８】
因みに、以下の説明では、第１筐体２の一端を、第１筐体一端とも呼び、当該第１筐体２において第１筐体一端とは反対側の他端を、第１筐体他端とも呼ぶ。
【００１９】
そして、以下の説明では、第１筐体２において第１筐体一端から第１筐体他端ヘ向かう方向、及びこれとは逆の第１筐体他端から第１筐体一端へ向かう方向をまとめて第１筐体奥行方向とも呼ぶ。
【００２０】
また、以下の説明では、第１筐体２の一面２Ａを、第１筐体一面２Ａとも呼び、当該第１筐体２の他面２Ｂを、第１筐体他面２Ｂとも呼ぶ。
【００２１】
そして、以下の説明では、第１筐体２において第１筐体一面２Ａから第１筐体他面２Ｂヘ向かう方向、及びこれとは逆の第１筐体他面２Ｂから第１筐体一面２Ａへ向かう方向をまとめて第１筐体厚み方向とも呼ぶ。
【００２２】
さらに、以下の説明では、第１筐体２の一方の側面２Ｃを、第１筐体左側面２Ｃとも呼び、当該第１筐体２の他方の側面２Ｄを、第１筐体右側面２Ｄとも呼ぶ。
【００２３】
そして、以下の説明では、第１筐体２において第１筐体左側面２Ｃから第１筐体右側面２Ｄヘ向かう方向、及びこれとは逆の第１筐体右側面２Ｄから第１筐体左側面２Ｃへ向かう方向をまとめて第１筐体幅方向とも呼ぶ。
【００２４】
さらに、以下の説明では、第２筐体３の一端を、第２筐体一端とも呼び、当該第２筐体３において第２筐体一端とは反対側の他端を、第２筐体他端とも呼ぶ。
【００２５】
そして、以下の説明では、第２筐体３において第２筐体一端から第２筐体他端ヘ向かう方向、及びこれとは逆の第２筐体他端から第２筐体一端へ向かう方向をまとめて第２筐体奥行方向とも呼ぶ。
【００２６】
さらに、以下の説明では、第２筐体３の一面３Ａを、第２筐体一面３Ａとも呼び、当該第２筐体３の他面３Ｂを、第２筐体他面３Ｂとも呼ぶ。
【００２７】
そして、以下の説明では、第２筐体３において第２筐体一面３Ａから第２筐体他面３Ｂヘ向かう方向、及びこれとは逆の第２筐体他面３Ｂから第２筐体一面３Ａへ向かう方向をまとめて第２筐体厚み方向とも呼ぶ。
【００２８】
さらに、以下の説明では、第２筐体３の一方の側面３Ｃを、第２筐体左側面３Ｃとも呼び、当該第２筐体３の他方の側面３Ｄを、第２筐体右側面３Ｄとも呼ぶ。
【００２９】
そして、以下の説明では、第２筐体３において第２筐体左側面３Ｃから第２筐体右側面３Ｄヘ向かう方向、及びこれとは逆の第２筐体右側面３Ｄから第２筐体左側面３Ｃへ向かう方向をまとめて第２筐体幅方向とも呼ぶ。
【００３０】
この場合、第１筐体２及び第２筐体３は、形状、大きさ及び厚みが等しく選定されている。因みに、以下の説明では、第１筐体２及び第２筐体３の厚みを、共に筐体厚みとも呼ぶ。
【００３１】
そして第１筐体２の第１筐体一面２Ａの中央部には、第１筐体一端近傍（例えば、第１筐体一端から数［ｍｍ］だけ第１筐体他端寄りの位置）から第１筐体他端側の所定位置に亘り、略偏平矩形状の第１表示部６が第１表示面６Ａを露出させて配置されている。
【００３２】
因みに、以下の説明では、第１表示部６の第１表示面６Ａにおいて、第１筐体一端側の一端を、第１表示面一端とも呼び、第１筐体他端側の他端を第１表示面他端とも呼ぶ。
【００３３】
すなわち、第１筐体２は、第１筐体一面２Ａの中央部において第１筐体一端から第１表示面一端までの距離が上述の数［ｍｍ］に選定され、当該第１表示部６が第１表示面一端を第１筐体一端に近接させて配置されている。
【００３４】
また第１表示部６の第１表示面６Ａ上には、当該第１表示面６Ａを覆うように透明な第１タッチパネル７が設けられている。因みに、第１筐体２の第１筐体一面２Ａに設けられた第１表示部６は、液晶ディスプレイ又は有機ＥＬ（Electro  Luminescence）ディスプレイ等である。
【００３５】
一方、第２筐体３の第２筐体一面３Ａには、第２筐体一端から第２筐体他端側の所定位置までに亘り、表示部変位用の略長方形状の切欠部（以下、これを変位用切欠部とも呼ぶ）３Ｅが形成されている。
【００３６】
また第２筐体３の第２筐体一面３Ａにおいて変位用切欠部３Ｅ内には、略長方形の枠状に形成された保持部８が第２筐体奥行方向にスライド自在に設けられている。
【００３７】
さらに保持部８は、略偏平矩形状の第２表示部９を、その側面を一周に亘って囲むように保持して、第２筐体一面３Ａにおいて当該第２表示部９の第２表示面９Ａを露出させている。
【００３８】
因みに、以下の説明では、第２表示部９の第２表示面９Ａにおいて、第２筐体一端側の一端を、第２表示面一端とも呼び、第２筐体他端側の他端を第２表示面他端とも呼ぶ。
【００３９】
そして保持部８は、第２表示部９の側面を一周に亘って囲む４つの枠部８Ａ乃至８Ｄのうち、第２筐体一端側（すなわち、第２表示面一端に接する）の枠部８Ａの奥行が、第１筐体一端から第１表示面一端までの距離と等しい数［ｍｍ］に選定されている。因みに、以下の説明では、保持部８の４つの枠部８Ａ乃至８Ｄのうち、第２筐体一端側の枠部８Ａを、一端側枠部８Ａとも呼ぶ。
【００４０】
これにより保持部８は、例えば、第１筐体２及び第２筐体３が第１筐体一面２Ａ及び第２筐体一面３Ａを並べるように「１８０」度の角度に開かれた際、第２筐体一端側へスライドして第２表示面一端を第１表示面一端に近接させることができる。
【００４１】
すなわち、保持部８は、例えば、第１筐体２及び第２筐体３が「１８０」度の角度に開かれた際、第２表示面９Ａを第１表示面６Ａに近接させて、これらをあたかも１つの表示面のように配置させることができる。
【００４２】
さらに第２表示部９の第２表示面９Ａ上には、当該第２表示面９Ａを覆うように透明な第２タッチパネル１０が設けられている。因みに、第２筐体３の一面３Ａに設けられた第２表示部９も、液晶ディスプレイ又は有機ＥＬディスプレイ等である。
【００４３】
そして第１筐体２及び第２筐体３の少なくとも一方の内部には、制御部や記憶部等のような種々の回路部（図示せず）が収納され、当該制御部が他の回路部と電気的に接続されている。
【００４４】
また制御部は、第１表示部６や第２表示部９、第１タッチパネル７及び第２タッチパネル１０とも適宜、電気的に接続されている。これにより制御部は、例えば、第１表示部６の第１表示面６Ａ及び第２表示部９の第２表示面９Ａに種類の異なる画像を個別に表示することができる。
【００４５】
また制御部は、例えば、第１表示部６の第１表示面６Ａ及び第２表示部９の第２表示面９Ａに１つの画像を２つに切り分けて表示することもできる。
【００４６】
すなわち、制御部は、例えば、第１筐体２及び第２筐体３が「１８０」度程度まで開かれた場合、第１表示面６Ａ及び第２表示面９Ａをあたかも１つの表示面のように用いて当該第１表示面６Ａから第２表示面９Ａに亘り１つの画像を表示することもできる。
【００４７】
さらに制御部は、第１表示部６の第１表示面６Ａ及び第２表示部９の第２表示面９Ａに画像を表示した状態で第１タッチパネル７及び第２タッチパネル１０の表面がタッチ操作されると、そのタッチ操作に応じた処理を実行する。
【００４８】
実際に制御部は、第１表示部６の第１表示面６Ａに各種操作キーがアイコンとして配置された画像（以下、これをキーボード画像とも呼ぶ）を表示することができる。
【００４９】
そして制御部は、第１表示部６の第１表示面６Ａにキーボード画像を表示した状態で第１タッチパネル７の表面がタッチ操作されアイコンが指示されると、タッチ操作により指示されたアイコンに予め割り当てている処理を実行する。
【００５０】
すなわち、制御部は、第１表示面６Ａを第１タッチパネル７と共にあたかもハードウェアのキーボードのように機能させて、そのキーボード（キーボード画像）に対する操作に応じて、第２表示面９Ａに表示する画像を切り換え、また当該画像の内容を更新する。
【００５１】
［１−２．折畳型の電子機器の詳細構成］
次いで、折畳型の電子機器１の構成を詳細に説明する。図２及び図３に示すように、第１筐体２の第１筐体一端部には、第１筐体左側面２Ｃ寄りの所定位置に、第１ヒンジ部４の幅とほぼ等しい幅を有し、第１筐体一端から第１筐体他端側への深さが筐体厚みとほぼ等しいヒンジ用切欠部２Ｅが形成されている。
【００５２】
因みに、以下の説明では、第１筐体一端部において第１筐体左側面２Ｃ寄りの所定位置に形成されたヒンジ用切欠部２Ｅを、第１筐体左側切欠部２Ｅとも呼ぶ。
【００５３】
また第１筐体２の第１筐体一端部には、第１筐体右側面２Ｄ寄りの所定位置にも、第２ヒンジ部５の幅とほぼ等しい幅を有し、第１筐体一端から第１筐体他端側への深さが筐体厚みとほぼ等しいヒンジ用切欠部２Ｆが形成されている。
【００５４】
因みに、以下の説明では、第１筐体一端部において第１筐体右側面２Ｄ寄りの所定位置に形成されたヒンジ用切欠部２Ｆを、第１筐体右側切欠部２Ｆとも呼ぶ。
【００５５】
そして第１筐体一端において第１筐体左側切欠部２Ｅ及び第１筐体右側切欠部２Ｆ間の部分は、端面（すなわち、第１筐体一端の端面）２Ｇが第１筐体一面２Ａ及び第１筐体他面２Ｂと直角に接する平面状に形成されている。
【００５６】
因みに、以下の説明では、第１筐体一端において第１筐体左側切欠部２Ｅ及び第１筐体右側切欠部２Ｆ間の部分を、第１筐体一端中央部とも呼び、当該第１筐体一端中央部の端面２Ｇを、第１筐体一端面２Ｇとも呼ぶ。
【００５７】
また第１筐体一端部において第１筐体左側切欠部２Ｅより第１筐体左側面２Ｃ側の部分２Ｈは、後述するように第２筐体３に対して第１筐体２を回動させる際の回動軸が形成される軸形成部となる。
【００５８】
因みに、以下の説明では、第１筐体一端部において第１筐体左側切欠部２Ｅよりも第１筐体左側面２Ｃ側の部分２Ｈ、すなわち軸形成部を、第１左側軸形成部２Ｈとも呼ぶ。
【００５９】
第１左側軸形成部２Ｈは、第１筐体一端側の端面が、第１筐体幅方向と平行で、かつ当該端面の中央から筐体厚みの１／２の距離に位置する仮想線ＶＬ１を中心として当該１／２の距離を半径とする円柱の半周分の側面を描くような円弧状に形成されている。
【００６０】
さらに第１筐体一端部において第１筐体右側切欠部２Ｆより第１筐体右側面２Ｄ側の部分２Ｊも、後述するように第２筐体３に対して第１筐体２を回動させる際の回動軸が形成される軸形成部となる。
【００６１】
因みに、以下の説明では、第１筐体一端部において第１筐体右側切欠部２Ｆよりも第１筐体右側面２Ｄ側の部分２Ｊ、すなわち軸形成部を、第１右側軸形成部２Ｊとも呼ぶ。
【００６２】
第１右側軸形成部２Ｊも、第１左側軸形成部２Ｈと同様に第１筐体一端側の端面が、上述の仮想線ＶＬ１を中心として筐体厚みの１／２の距離を半径とする円柱の半周分の側面を描くような円弧状に形成されている。
【００６３】
一方、図４及び図５に示すように、第２筐体３の第２筐体一面３Ａには、上述のように第２表示面９Ａよりも幅広な変位用切欠部３Ｅが形成されている。
【００６４】
ただし、変位用切欠部３Ｅは、第２筐体他端側では第２筐体３の底板３Ｋを残すように形成されている。また変位用切欠部３Ｅは、第２筐体一端側では当該第２筐体一端から第２筐体他端側へ第２筐体３の底板３Ｋを略コ字状に取り除くように形成されている。
【００６５】
第２筐体３の第２筐体一端部には、第１筐体左側切欠部２Ｅと対向する第２筐体左側面３Ｃ寄りの所定位置に、第１ヒンジ部４の幅とほぼ等しい幅を有し、第２筐体一端から第２筐体他端側への深さが筐体厚みとほぼ等しいヒンジ用切欠部３Ｆが形成されている。
【００６６】
因みに、以下の説明では、第２筐体一端部において第２筐体左側面３Ｃ寄りの所定位置に形成されたヒンジ用切欠部３Ｆを、第２筐体左側切欠部３Ｆとも呼ぶ。
【００６７】
この場合、第２筐体左側切欠部３Ｆは、第２筐体一端部に実際に切り欠かれた部分と、変位用切欠部３Ｅの左側にかかる部分とで、上述の第１筐体左側切欠部２Ｅと対向するように形成されている。
【００６８】
また第２筐体３の第２筐体一端部には、上述の第１筐体右側切欠部２Ｆと対向させて、第２筐体右側面３Ｄ寄りの所定位置にも、第２筐体一端から第２筐体他端側への深さが筐体厚みとほぼ等しいヒンジ用切欠部３Ｇが形成されている。
【００６９】
因みに、以下の説明では、第２筐体一端部において第２筐体右側面３Ｄ寄りの所定位置に形成されたヒンジ用切欠部３Ｇを、第２筐体右側切欠部３Ｇとも呼ぶ。
【００７０】
この場合、第２筐体右側切欠部３Ｇは、第２筐体一端部に実際に切り欠かれた部分と、変位用切欠部３Ｅの右側にかかる部分とで、上述の第１筐体右側切欠部２Ｆと対向するように形成されている。
【００７１】
そして第２筐体一端部において第２筐体左側切欠部３Ｆより第２筐体左側面３Ｃ側の部分３Ｈは、後述するように第１筐体２に対して第２筐体３を回動させる際の回動軸が形成される軸形成部となる。
【００７２】
因みに、以下の説明では、第２筐体一端部において第２筐体左側切欠部３Ｆよりも第２筐体左側面３Ｃ側の部分３Ｈ、すなわち軸形成部を、第２左側軸形成部３Ｈとも呼ぶ。
【００７３】
第２左側軸形成部３Ｈは、第２筐体一端側の端面が、第２筐体幅方向と平行で、かつ当該端面の中央から筐体厚みの１／２の距離に位置する仮想線ＶＬ２を中心として当該１／２の距離を半径とする円柱の半周分の側面を描くような円弧状に形成されている。
【００７４】
また第２筐体一端部において第２筐体右側切欠部３Ｇより第２筐体右側面３Ｄ側の部分３Ｊも、後述するように第１筐体２に対して第２筐体３を回動させる際の回動軸が形成される軸形成部となる。
【００７５】
因みに、以下の説明では、第２筐体一端部において第２筐体右側切欠部３Ｇよりも第２筐体右側面３Ｄ側の部分３Ｊ、すなわち軸形成部を、第２右側軸形成部３Ｊとも呼ぶ。
【００７６】
第２右側軸形成部３Ｊも、第２左側軸形成部３Ｈと同様に第２筐体一端側の端面が、上述の仮想線ＶＬ２を中心として筐体厚みの１／２の距離を半径とする円柱の半周分の側面を描くような円弧状に形成されている。
【００７７】
また保持部８は、一端側枠部８Ａにおいて上述の第１筐体左側切欠部２Ｅと対向する左端部に、筐体厚みの１／２に等しい深さの切欠部（以下、これを左側切欠部とも呼ぶ）８ＡＸが形成されている。
【００７８】
さらに保持部８は、一端側枠部８Ａにおいて上述の第１筐体左側切欠部２Ｅと対向する右端部にも、筐体厚みの１／２に等しい深さの切欠部（以下、これを右側切欠部とも呼ぶ）８ＡＹが形成されている。
【００７９】
そして保持部８は、一端側枠部８Ａの端面（すなわち、第１筐体一端側の端面であり、以下、これを保持部一端面とも呼ぶ）８ＡＺが、当該一端側枠部８Ａの上面及び下面と直角に接する平面状に形成されている。
【００８０】
図６に示すように、第１ヒンジ部４は、一面１５Ａから他面１５Ｂまでの厚みが筐体厚みと等しく、一方の側面１５Ｃから他方の側面１５Ｄまでが上述の第１ヒンジ部４の幅となる第１ヒンジケース１５を有している。
【００８１】
因みに、以下の説明では、第１ヒンジケース１５において一面１５Ａを、第１ヒンジ一面１５Ａとも呼び、当該第１ヒンジケース１５において他面１５Ｂを、第１ヒンジ他面１５Ｂとも呼ぶ。
【００８２】
また、以下の説明では、第１ヒンジ部４の第１ヒンジケース１５において第１ヒンジ一面１５Ａから第１ヒンジ他面１５Ｂまでの厚みを、第１ヒンジ厚みとも呼ぶ。
【００８３】
そして、以下の説明では、第１ヒンジ部４において第１ヒンジ一面１５Ａから第１ヒンジ他面１５Ｂヘ向かう方向、及びこれとは逆の第１ヒンジ他面１５Ｂから第１ヒンジ一面１５Ａへ向かう方向をまとめて第１ヒンジ部厚み方向とも呼ぶ。
【００８４】
さらに、以下の説明では、第１ヒンジケース１５において一方の側面１５Ｃを、第１ヒンジ左側面１５Ｃとも呼び、当該第１ヒンジケース１５において他方の側面１５Ｄを、第１ヒンジ右側面１５Ｄとも呼ぶ。
【００８５】
そして、以下の説明では、第１ヒンジ部４において第１ヒンジ左側面１５Ｃから第１ヒンジ右側面１５Ｄヘ向かう方向、及びこれとは逆の第１ヒンジ右側面１５Ｄから第１ヒンジ左側面１５Ｃへ向かう方向をまとめて第１ヒンジ部幅方向とも呼ぶ。
【００８６】
第１ヒンジケース１５は、一端の端面１５Ｅが、第１ヒンジ部幅方向と平行で、当該端面１５Ｅの中央から筐体厚みの１／２の距離に位置する仮想線ＶＬ３を中心として当該１／２の距離を半径とする円柱の半周分の側面を描くような円弧状に形成されている。
【００８７】
また第１ヒンジケース１５は、他端の端面１５Ｆが、第１ヒンジ部幅方向と平行で、当該端面１５Ｆの中央から筐体厚みの１／２の距離に位置する仮想線ＶＬ４を中心として当該１／２の距離を半径とする円柱の半周分の側面を描くような円弧状に形成されている。
【００８８】
因みに、以下の説明では、第１ヒンジケース１５の一端を、第１ヒンジ一端とも呼び、当該第１ヒンジケース１５の他端を、第１ヒンジ他端とも呼ぶ。
【００８９】
そして、以下の説明では、第１ヒンジ部４において第１ヒンジ一端の端面１５Ｅの頂点から第１ヒンジ他端の端面１５Ｆの頂点へ向かう方向、及びこれとは逆の方向をまとめて第１ヒンジ部長手方向とも呼ぶ。
【００９０】
そして第１ヒンジケース１５は、第１ヒンジ一端の円弧状の端面１５Ｅの頂点から第１ヒンジ他端の円弧状の端面１５Ｆの頂点までの長さが筐体厚みの２倍の長さとほぼ等しく選定されている。
【００９１】
因みに、以下の説明では、第１ヒンジケース１５において第１ヒンジ一端の円弧状の端面１５Ｅの頂点から第１ヒンジ他端の円弧状の端面１５Ｆの頂点までの長さを、第１ヒンジ長さとも呼ぶ。
【００９２】
さらに第１ヒンジケース１５は、第１ヒンジ他端部において第１ヒンジ右側面１５Ｄ側に、第１ヒンジ他端から第１ヒンジ一端側への深さが筐体厚みの１／２と等しい切欠部が形成されている。
【００９３】
この場合、第１ヒンジケース１５において第１ヒンジ右側面１５Ｄ側の部分は、第１筐体２及び第２筐体３の開閉に応じて保持部８を変位させるためのカム部（以下、これを第１カム部とも呼ぶ）１５Ｇとなる。
【００９４】
すなわち、第１ヒンジケース１５において第１ヒンジ一端の円弧状の端面１５Ｅの頂点から切欠部の底面（以下、これを第１カム端面とも呼ぶ）１５ＧＸまでの筐体厚みのほぼ１．５倍の長さを有する部分が第１カム部１５Ｇとなる。そして第１カム部１５Ｇの幅（第１カム端面１５ＧＸの幅）は、保持部８の左側切欠部８ＡＸの幅と等しく選定されている。
【００９５】
また第１ヒンジケース１５は、第１カム部１５Ｇよりも左側の部分の幅が、第２筐体３の第２筐体一端部に第２筐体左側切欠部３Ｆとして実際に切り欠かれた部分の幅とほぼ等しく選定されている。
【００９６】
さらに第１ヒンジケース１５において第１ヒンジ左側面１５Ｃには、第１ヒンジ一端側に仮想線ＶＬ３を中心とし、所定の半径を有する円形の一端側孔部１５ＣＸが穿設されている。
【００９７】
さらにまた第１ヒンジケース１５において第１ヒンジ左側面１５Ｃには、第１ヒンジ他端側に仮想線ＶＬ４を中心とし、一端側孔部１５ＣＸと等しい半径を有する円形の他端側孔部１５ＣＹが穿設されている。
【００９８】
そして図７乃至図９に示すように、第１ヒンジ部４は、一端側孔部１５ＣＸとほぼ等しい半径を有する円柱状の２本の第１回動軸１６及び第２回動軸１７を有している。また第１ヒンジ部４は、第１ヒンジケース１５内に収納された円板状の２つの第１プーリ１８及び第２プーリ１９も有している。
【００９９】
因みに、図７は、第１筐体２及び第２筐体３が第１筐体一面２Ａ及び第２筐体一面３Ａを並べるように「１８０」度の角度に開かれた状態（以下、これを見開状態とも呼ぶ）を示す。また図８及び図９は、第１筐体２及び第２筐体３が「１２０」度程度の角度に開かれた状態を示している。
【０１００】
第１ヒンジケース１５は、第１ヒンジケース１５の一端側孔部１５ＣＸに、第１回動軸１６が仮想線ＶＬ３を中心にして回動可能に挿入されている。
【０１０１】
そして第１回動軸１６において第１ヒンジケース１５の外部に突出している一端は、当該第１回動軸１６の回動中心となる仮想線ＶＬ３を仮想線ＶＬ１と一致させて第１筐体２の第１左側軸形成部２Ｈの内壁に固定されている。
【０１０２】
また第１回動軸１６において第１ヒンジケース１５の内部に入り込んでいる他端は、仮想線ＶＬ３を第１プーリ１８の中心軸と一致させて、当該第１プーリ１８の一面の中央部に固定されている。
【０１０３】
さらに第１ヒンジケース１５は、第１ヒンジケース１５の他端側孔部１５ＣＹに、第２回動軸１７が、第１回動軸１６と平行で、かつ仮想線ＶＬ４を中心にして回動可能に挿入されている。
【０１０４】
第２回動軸１７において第１ヒンジケース１５の外部に突出している一端は、当該第２回動軸１７の回動中心となる仮想線ＶＬ４を仮想線ＶＬ２と一致させて第２筐体３の第２左側軸形成部３Ｈの内壁に固定されている。
【０１０５】
さらにまた第２回動軸１７において第１ヒンジケース１５の内部に入り込んでいる他端は、仮想線ＶＬ４を第２プーリ１９の中心軸と一致させて、当該第２プーリ１９の一面の中央部に固定されている。
【０１０６】
これにより第１ヒンジ部４は、第１筐体２及び第２筐体３の開閉の際、その開閉に連動して第１ヒンジケース１５内で第１回動軸１６と共に第１プーリ１８が回動すると共に、第２回動軸１７と共に第２プーリ１９も回動する。
【０１０７】
また第１ヒンジ部４は、第１プーリ１８の側面から第２プーリ１９の側面に亘りワイヤ２０が八の字状に掛けられている。そしてワイヤ２０は、一部が第１プーリ１８の他面上に引き回されて当該他面に固定されると共に、他の一部が第２プーリ１９の他面上に引き回されて当該他面に固定されている。
【０１０８】
因みに、ワイヤ２０は、電子機器１の組立時、例えば、第１筐体２及び第２筐体３が「１８０」度の角度に開かれて第１左側軸形成部２Ｈの端面と第２左側軸形成部３Ｈの端面とが接触した状態で、第１プーリ１８及び第２プーリ１９に掛けられて固定されている。
【０１０９】
これにより第１ヒンジ部４は、第１筐体２及び第２筐体３の開閉の際、第１プーリ１８及び第２プーリ１９の側面上でワイヤ２０を滑らせずに、当該第１プーリ１８及び第２プーリ１９を同期させて相対的に反対方向へ回動させる。
【０１１０】
すなわち、第１ヒンジ部４は、第１筐体２及び第２筐体３の開閉の際、第１回動軸１６及び第１プーリ１８に対し第２回動軸１７及び第２プーリ１９のみが回動することを防止する。
【０１１１】
また第１ヒンジ部４は、第１筐体２及び第２筐体３の開閉の際、第２回動軸１７及び第２プーリ１９に対し第１回動軸１６及び第１プーリ１８のみが回動することも防止する。
【０１１２】
このようにして第１ヒンジ部４は、第１筐体２の第１筐体一端部の左側と、第２筐体３の第２筐体一端部の左側とを連結して、当該第１筐体２及び第２筐体３を開閉させることができる。
【０１１３】
一方、図１０に示すように、第２ヒンジ部５は、第１ヒンジ部４の第１ヒンジケース１５と面対称な形状の第２ヒンジケース２５を有している。すなわち、第２ヒンジケース２５は、一面２５Ａから他面２５Ｂまでの厚みが筐体厚みと等しく選定され、一方の側面２５Ｃから他方の側面２５Ｄまでが上述の第２ヒンジ部５の幅となる。
【０１１４】
因みに、以下の説明では、第２ヒンジケース２５において一面２５Ａを、第２ヒンジ一面２５Ａとも呼び、当該第２ヒンジケース２５において他面２５Ｂを、第２ヒンジ他面２５Ｂとも呼ぶ。
【０１１５】
また、以下の説明では、第２ヒンジ部５の第１ヒンジケース２５において第２ヒンジ一面２５Ａから第２ヒンジ他面２５Ｂまでの厚みを、第２ヒンジ厚みとも呼ぶ。
【０１１６】
そして、以下の説明では、第２ヒンジ部５において第２ヒンジ一面２５Ａから第２ヒンジ他面２５Ｂヘ向かう方向、及びこれとは逆の第２ヒンジ他面２５Ｂから第２ヒンジ一面２５Ａへ向かう方向をまとめて第２ヒンジ部厚み方向とも呼ぶ。
【０１１７】
さらに、以下の説明では、第２ヒンジケース２５において一方の側面２５Ｃを、第２ヒンジ左側面２５Ｃとも呼び、当該第２ヒンジケース２５において他方の側面２５Ｄを、第２ヒンジ右側面２５Ｄとも呼ぶ。
【０１１８】
そして、以下の説明では、第２ヒンジ部５において第２ヒンジ左側面２５Ｃから第２ヒンジ右側面２５Ｄヘ向かう方向、及びこれとは逆の第２ヒンジ右側面２５Ｄから第２ヒンジ左側面２５Ｃへ向かう方向をまとめて第２ヒンジ部幅方向とも呼ぶ。
【０１１９】
第２ヒンジケース２５は、一端の端面２５Ｅが、第２ヒンジ部幅方向と平行で、当該端面２５Ｅの中央から筐体厚みの１／２の距離に位置する仮想線ＶＬ５を中心として当該１／２の距離を半径とする円柱の半周分の側面を描くような円弧状に形成されている。
【０１２０】
また第２ヒンジケース２５は、他端の端面２５Ｆが、第２ヒンジ部幅方向と平行で、当該端面２５Ｆの中央から筐体厚みの１／２の距離に位置する仮想線ＶＬ６を中心として当該１／２の距離を半径とする円柱の半周分の側面を描くような円弧状に形成されている。
【０１２１】
因みに、以下の説明では、第２ヒンジケース２５の一端を、第２ヒンジ一端とも呼び、当該第２ヒンジケース２５の他端を、第２ヒンジ他端とも呼ぶ。
【０１２２】
そして、以下の説明では、第２ヒンジ部５において第２ヒンジ一端の端面２５Ｅの頂点から第２ヒンジ他端の端面２５Ｆの頂点へ向かう方向、及びこれとは逆の方向をまとめて第２ヒンジ部長手方向とも呼ぶ。
【０１２３】
そして第２ヒンジケース２５は、第２ヒンジ一端の円弧状の端面２５Ｅの頂点から第２ヒンジ他端の円弧状の端面２５Ｆの頂点までの長さが筐体厚みの２倍の長さとほぼ等しく選定されている。
【０１２４】
因みに、以下の説明では、第２ヒンジケース２５において第２ヒンジ一端の円弧状の端面２５Ｅの頂点から第２ヒンジ他端の円弧状の端面２５Ｆの頂点までの長さを、第２ヒンジ長さとも呼ぶ。
【０１２５】
さらに第２ヒンジケース２５は、第２ヒンジ他端部において第２ヒンジ左側面２５Ｃ側に、第２ヒンジ他端から第２ヒンジ一端側への深さが筐体厚みの１／２と等しい切欠部が形成されている。
【０１２６】
この場合、第２ヒンジケース２５において第２ヒンジ左側面２５Ｃ側の部分は、第１筐体２及び第２筐体３の開閉に応じて保持部８を変位させるためのカム部（以下、これを第２カム部とも呼ぶ）２５Ｇとなる。
【０１２７】
すなわち、第２ヒンジケース２５において第２ヒンジ一端の円弧状の端面２５Ｅの頂点から切欠部の底面（以下、これを第２カム端面とも呼ぶ）２５ＧＸまでの筐体厚みのほぼ１．５倍の長さを有する部分が第２カム部２５Ｇとなる。そして第２カム部２５Ｇの幅（第２カム端面２５ＧＸの幅）は、保持部８の右側切欠部８ＡＹの幅と等しく選定されている。
【０１２８】
また第２ヒンジケース２５は、第２カム部２５Ｇよりも右側の部分の幅が、第２筐体３の第２筐体一端部に第２筐体右側切欠部３Ｇとして実際に切り欠かれた部分の幅とほぼ等しく選定されている。
【０１２９】
さらに第２ヒンジケース２５において第２ヒンジ右側面２５Ｄには、第２ヒンジ一端側に仮想線ＶＬ５を中心とし、上述の一端側孔部１５ＣＸと等しい半径を有する円形の一端側孔部２５ＤＸが穿設されている。
【０１３０】
また第２ヒンジケース２５において第２ヒンジ右側面２５Ｄには、第２ヒンジ他端側に仮想線ＶＬ６を中心とし、上述の一端側孔部１５ＣＸと等しい半径を有する円形の他端側孔部２５ＤＹが穿設されている。
【０１３１】
そして図１１乃至図１３に示すように、第２ヒンジ部５は、上述の一端側孔部１５ＣＸとほぼ等しい半径を有する円柱状の２本の第１回動軸２６及び第２回動軸２７を有している。また第２ヒンジ部５は、第２ヒンジケース２５内に収納された円板状の２つの第１プーリ２８及び第２プーリ２９も有している。
【０１３２】
因みに、図１１は、第１筐体２及び第２筐体３の見開状態を示し、図１２及び図１３は、第１筐体２及び第２筐体３が「１２０」度程度の角度に開かれた状態を示している。
【０１３３】
第２ヒンジケース２５は、第２ヒンジケース２５の一端側孔部２５ＤＸに、第１回動軸２６が仮想線ＶＬ５を中心にして回動可能に挿入されている。
【０１３４】
そして第１回動軸２６において第２ヒンジケース２５の外部に突出している一端は、当該第１回動軸２６の回動中心となる仮想線ＶＬ５を仮想線ＶＬ１と一致させて第２筐体３の第１右側軸形成部２Ｊの内壁に固定されている。
【０１３５】
また第１回動軸２６において第２ヒンジケース２５の内部に入り込んでいる他端は、仮想線ＶＬ５を第１プーリ２８の中心軸と一致させて、当該第１プーリ２８の一面の中央部に固定されている。
【０１３６】
さらに第２ヒンジケース２５は、第２ヒンジケース２５の他端側孔部２５ＤＹに、第２回動軸２７が、第１回動軸２６と平行で、かつ仮想線ＶＬ６を中心にして回動可能に挿入されている。
【０１３７】
第２回動軸２７において第２ヒンジケース２５の外部に突出している一端は、当該第２回動軸２７の回動中心となる仮想線ＶＬ６を仮想線ＶＬ２と一致させて第２筐体３の第２右側軸形成部３Ｊの内壁に固定されている。
【０１３８】
さらにまた第２回動軸２７において第２ヒンジケース２５の内部に入り込んでいる他端は、仮想線ＶＬ６を第２プーリ２９の中心軸と一致させて、当該第２プーリ２９の一面の中央部に固定されている。
【０１３９】
これにより第２ヒンジ部５は、第１筐体２及び第２筐体３の開閉の際、その開閉に連動して第２ヒンジケース２５内で第１回動軸２６と共に第１プーリ２８が回動すると共に、第２回動軸２７と共に第２プーリ２９も回動する。
【０１４０】
そして第２ヒンジ部５は、第１プーリ２８の側面から第２プーリ２９の側面に亘りワイヤ３０が八の字状に掛けられている。またワイヤ３０は、一部が第１プーリ２８の他面上に引き回されて当該他面に固定されると共に、他の一部が第２プーリ２９の他面上に引き回されて当該他面に固定されている。
【０１４１】
因みに、ワイヤ３０は、電子機器１の組立時、例えば、第１筐体２及び第２筐体３が「１８０」度の角度に開かれて第１右側軸形成部２Ｊの端面と第２右側軸形成部３Ｊの端面とが接触した状態で、第１プーリ２８及び第２プーリ２９に掛けられて固定されている。
【０１４２】
これにより第２ヒンジ部５は、第１筐体２及び第２筐体３の開閉の際、第１プーリ２８及び第２プーリ２９の側面上でワイヤ３０を滑らせずに、当該第１プーリ２８及び第２プーリ２９を同期させて相対的に反対方向へ回動させる。
【０１４３】
すなわち、第２ヒンジ部５は、上述の第１ヒンジ部４の場合と同様に、第１筐体２及び第２筐体３の開閉の際、第１回動軸２６及び第１プーリ２８に対し第２回動軸２７及び第２プーリ２９のみが回動することを防止する。
【０１４４】
また第２ヒンジ部５は、第１筐体２及び第２筐体３の開閉の際、第２回動軸２７及び第２プーリ２９に対し第１回動軸２６及び第１プーリ２８のみが回動することも防止する。
【０１４５】
このようにして第２ヒンジ部５は、第１筐体２の第１筐体一端部の右側と、第２筐体３の第２筐体一端部の右側とを連結して、当該第１筐体２及び第２筐体３を開閉させることができる。
【０１４６】
実際に図１４（Ａ）乃至図１８（Ｂ）に示すように、第１筐体２は、上述のように第１左側軸形成部２Ｈの端面と、第１右側軸形成部２Ｊの端面とが半円を描くように円弧状に形成されている。
【０１４７】
また第２筐体３は、上述のように第２左側軸形成部３Ｈの端面と、第２右側軸形成部３Ｊの端面とが半円を描くように円弧状に形成されている。
【０１４８】
そして第１ヒンジ部４は、上述のように電子機器１の組立時、第１左側軸形成部２Ｈの端面と第２左側軸形成部３Ｈの端面とが接触した状態で、第１プーリ１８及び第２プーリ１９にワイヤ２０が掛けられて固定されている。
【０１４９】
また第２ヒンジ部５は、上述のように電子機器１の組立時、第１右側軸形成部２Ｊの端面と第２右側軸形成部３Ｊの端面とが接触した状態で、第１プーリ２８及び第２プーリ２９にワイヤ３０が掛けられて固定されている。
【０１５０】
さらに第１筐体２は、第１筐体一端部の左側及び右側が面対称に形成されると共に、第２筐体３も、第２筐体一端部の左側及び右側が面対称に形成されている。さらに第１ヒンジ部４及び第２ヒンジ部５も面対称に形成されている。
【０１５１】
よって第１ヒンジ部４及び第２ヒンジ部５は、電子機器１の使用時、外部から第１筐体２及び第２筐体３が開閉用に操作されると、第１左側軸形成部２Ｈ及び第２左側軸形成部３Ｈを接触させると共に、第１右側軸形成部２Ｊ及び第２右側軸形成部３Ｊを接触させた状態で同期して姿勢を変化させる。
【０１５２】
これにより第１ヒンジ部４及び第２ヒンジ部５は、第１筐体２及び第２筐体３を「０」度の角度から「３６０」度の角度の範囲で自由に開閉させることかできる。
【０１５３】
すなわち、第１ヒンジ部４及び第２ヒンジ部５は、電子機器１の使用時、第１筐体２及び第２筐体３を、第１筐体一端部と第２筐体一端部とが何ら引っ掛かることなく開閉させることができる。
【０１５４】
また第１ヒンジ部４は、第１プーリ１８及び第２プーリ１９に掛けられているワイヤ２０の一部が、当該第１プーリ１８及び第２プーリ１９の間で、これらから浮いた状態で交差している。
【０１５５】
そして第１ヒンジ部４は、第１筐体２及び第２筐体３が開閉された場合、第１プーリ１８及び第２プーリ１９に対してワイヤ２０を滑らせずに、当該第１プーリ１８及び第２プーリ１９の間でワイヤ２０の交差部分を変位させる。
【０１５６】
また第２ヒンジ部５も、第１プーリ２８及び第２プーリ２９に掛けられているワイヤ３０の一部が、当該第１プーリ２８及び第２プーリ２９の間で、これらから浮いた状態で交差している。
【０１５７】
そして第２ヒンジ部５は、第１筐体２及び第２筐体３が開閉された場合、第１プーリ２８及び第２プーリ２９に対してワイヤ３０を滑らせずに、当該第１プーリ２８及び第２プーリ２９の間でワイヤ３０の交差部分を変位させる。
【０１５８】
これにより第１ヒンジ部４及び第２ヒンジ部５は、第１筐体２及び第２筐体３の開閉の際、第１回動軸１６、２６、及び第２回動軸１７、２７を中心にして、当該第１筐体２及び第２筐体３を同期させて相対的に反対方向へ回動させることができる。
【０１５９】
すなわち、第１ヒンジ部４及び第２ヒンジ部５は、第１筐体２及び第２筐体３を、何れか一方だけが回動して当該第１筐体２及び第２筐体３の連結部分に段差が生じることを防止して、あたかも１つの軸で連結されているように開閉させることができる。
【０１６０】
そして第１ヒンジ部４は、第１ヒンジケース１５の一端側孔部１５ＣＸ内及び他端側孔部１５ＣＹ内で第１回動軸１６及び第２回動軸１７が回動する。
【０１６１】
また第１ヒンジ部４は、上述のように第１ヒンジ長さが筐体厚みの２倍の長さとほぼ等しく選定されると共に、第１ヒンジ厚みが筐体厚みとほぼ等しく選定されている。
【０１６２】
よって第１ヒンジ部４は、第１筐体２及び第２筐体３の開閉の際、第１筐体左側切欠部２Ｅ及び第２筐体左側切欠部３Ｆ内で、第１ヒンジ部長手方向を２本の仮想線ＶＬ１及びＶＬ２と直交する仮想線ＶＬ７と平行にしたまま姿勢を変化させる。
【０１６３】
また第２ヒンジ部５も、第２ヒンジケース２５の一端側孔部２５ＤＸ内及び他端側孔部２５ＤＹ内で第１回動軸２６及び第２回動軸２７が回動する。
【０１６４】
そして第２ヒンジ部５も、上述のように第２ヒンジ長さが筐体厚みの２倍の長さとほぼ等しく選定されると共に、第２ヒンジ厚みが筐体厚みとほぼ等しく選定されている。
【０１６５】
よって第２ヒンジ部５も、第１筐体２及び第２筐体３の開閉の際、第１筐体右側切欠部２Ｆ及び第２筐体右側切欠部３Ｇ内で、第２ヒンジ部長手方向を２本の仮想線ＶＬ１及びＶＬ２と直交する仮想線ＶＬ７と平行にしたまま姿勢を変化させる。
【０１６６】
特に第１ヒンジ部４及び第２ヒンジ部５は、第１筐体２及び第２筐体３の折畳状態（図１４（Ａ））では、第１ヒンジ一端部及び第２ヒンジ一端部や第１ヒンジ他端部及び第２ヒンジ他端部が第１筐体他面２Ｂや第２筐体他面３Ｂから突出することを回避している。
【０１６７】
また第１ヒンジ部４及び第２ヒンジ部５は、第１筐体２及び第２筐体３の背中合状態（図１８（Ｂ））でも、第１ヒンジ一端部及び第２ヒンジ一端部や第１ヒンジ他端部及び第２ヒンジ他端部が第１筐体一面２Ａや第２筐体一面３Ａから突出することを回避している。
【０１６８】
すなわち、第１ヒンジ部４及び第２ヒンジ部５は、第１筐体２及び第２筐体３の折畳状態や背中合状態では、重ねられた第１筐体２及び第２筐体３と共に筐体厚みの２倍の厚みを有する１つの直方体を形成するように当該第１筐体２及び第２筐体３と一体化する。
【０１６９】
これに加え第１ヒンジ部４及び第２ヒンジ部５は、第１筐体２及び第２筐体３の見開状態（図１６（Ｂ））において、第１ヒンジ一面１５Ａ及び第２ヒンジ一面２５Ａが第１筐体一面２Ａ及び第２筐体一面３Ａから突出することを回避している。
【０１７０】
また第１ヒンジ部４及び第２ヒンジ部５は、第１筐体２及び第２筐体３の見開状態（図１６（Ｂ））において、第１ヒンジ他面１５Ｂ及び第２ヒンジ他面２５Ｂが第１筐体他面２Ｂ及び第２筐体他面３Ｂから突出することも回避している。
【０１７１】
すなわち、第１ヒンジ部４及び第２ヒンジ部５は、第１筐体２及び第２筐体３の見開状態では、並べられた第１筐体２及び第２筐体３と共に筐体厚みを有する１つの直方体を形成するように当該第１筐体２及び第２筐体３と一体化する。
【０１７２】
このようにして図１９（Ａ）乃至図２３（Ｂ）に示すように、電子機器１は、第１筐体２及び第２筐体３を「０」度（図１９（Ａ）に示す折畳状態）から「３６０」度（図２３（Ｂ）に示す背中合状態）までの範囲で自由に開閉させることができる。
【０１７３】
ところで、第２筐体３は、変位用切欠部３Ｅ内において例えば、第２筐体他端側に１又は複数のばね（コイルばね、又は板ばね等）が設けられている。これにより第２筐体３は、変位用切欠部３Ｅ内でばねにより、保持部８と共に第２表示部９を第２筐体一端側に付勢している。
【０１７４】
そして図２４（Ａ）及び（Ｂ）に示すように、第１ヒンジ部４は、第１筐体２及び第２筐体３が「０」度の角度に閉じられた（折畳状態の）場合、第１ヒンジ一面１５Ａの第１ヒンジ右側面１５Ｄ寄りの部分を保持部８の左側切欠部８ＡＸの底面に突き当てる。
【０１７５】
また第２ヒンジ部５は、この際、第２ヒンジ一面２５Ａの第２ヒンジ左側面２５Ｃ寄りの部分を保持部８の右側切欠部８ＡＹの底面に突き当てる。
【０１７６】
これにより第１ヒンジ部４及び第２ヒンジ部５は、左側切欠部８ＡＸ及び右側切欠部８ＡＹの底面の位置を、第２筐体３の第２筐体左側切欠部３Ｆ及び第２筐体左側切欠部３Ｇの底面の位置と揃えて、保持部８と共に第２表示部９を第２筐体他端側に変位させる。
【０１７７】
すなわち、保持部８は、上述のように保持部一端面８ＡＺから左側切欠部８ＡＸ及び右側切欠部８ＡＹの底面までの深さが、筐体厚みのほぼ１／２に選定されている。
【０１７８】
また第１筐体２は、上述のように第１筐体一端中央部の第１筐体一端面２Ｇから第１筐体左側切欠部２Ｅ及び第１筐体右側切欠部２Ｆの底面までの深さが筐体厚みとほほ等しく選定されている。さらに第１ヒンジ部４及び第２ヒンジ部５は、上述のように第１ヒンジ厚み及び第２ヒンジ厚みが筐体厚みとほぼ等しく選定されている。
【０１７９】
そして第１ヒンジ部４は、第１筐体２及び第２筐体３の折畳状態では、第１ヒンジ部長手方向を、第１筐体厚み方向（及び第２筐体厚み方向）と平行にして第１筐体２の第１筐体左側切欠部２Ｅ内から第２筐体３の第２筐体左側切欠部３Ｆ内に亘って位置する。
【０１８０】
よって第１ヒンジ部４は、この際、第１ヒンジ一面１５Ａにおいて第１カム部１５Ｇの部分（すなわち、第１ヒンジ右側面１５Ｄ寄りで中央から第１カム端面１５ＧＸの縁までの部分）を保持部８の左側切欠部８ＡＸの底面に突き当てる。
【０１８１】
また第２ヒンジ部５は、第１筐体２及び第２筐体３の折畳状態では、第２ヒンジ部長手方向を第１筐体厚み方向（及び第２筐体厚み方向）と平行にして第１筐体２の第１筐体右側切欠部２Ｆ内から第２筐体３の第２筐体右側切欠部３Ｇ内に亘って位置する。
【０１８２】
よって第２ヒンジ部５は、この際、第２ヒンジ一面２５Ａにおいて第２カム部２５Ｇの部分（すなわち、第１ヒンジ左側面２５Ｃ寄りで中央から第２カム端面２５ＧＸの縁までの部分）を保持部８の右側切欠部８ＡＹの底面に突き当てる。
【０１８３】
これにより第１ヒンジ部４及び第２ヒンジ部５は、保持部８の保持部一端面８ＡＺを筐体厚みの１／２の距離だけ、第２筐体他端側に位置させるように、変位用切欠部３Ｅ内で当該保持部８と共に第２表示部９を第２筐体他端側に変位させる。
【０１８４】
すなわち、第１ヒンジ部４及び第２ヒンジ部５は、第１筐体２及び第２筐体３の折畳状態では、第１筐体一端面２Ｇと保持部一端面８ＡＺとが平面状に形成されているものの、これらを離して位置させる。
【０１８５】
従って第１ヒンジ部４及び第２ヒンジ部５は、第１筐体２及び第３筐体３を、折畳状態から、第１筐体一端面２Ｇの縁と保持部一端面８ＡＺの縁とが何ら引っ掛かることなく開かせることができる。
【０１８６】
図２５（Ａ）乃至図２９（Ｂ）に示すように、第１ヒンジ部４は、実際に第１筐体２及び第２筐体３が折畳状態から開かれ始めると、第１ヒンジ部長手方向を第１筐体厚み方向に対して徐々に傾けるように姿勢を変化させる。
【０１８７】
よって第１ヒンジ部４は、第１ヒンジ一面１５Ａにおいて第１カム部１５Ｇの部分（第１ヒンジ右側面１５Ｄ寄りの中央部分）を保持部８の左側切欠部８ＡＸの底面から徐々に離間させて、第１カム端面１５ＧＸの縁を当該左側切欠部８ＡＸの底面に突き当てる。
【０１８８】
そして第１ヒンジ部４は、第１筐体２及び第２筐体３の開き角度の増加に応じて姿勢を変化させながら、保持部８の左側切欠部８ＡＸの底面に対する第１カム端面１５ＧＸの縁の接触位置を当該底面の中央から第２筐体一面３Ａ側へ変化させる。
【０１８９】
また第２ヒンジ部５は、この際、第２ヒンジ部長手方向を第１筐体厚み方向に対して徐々に傾けるように姿勢を変化させる。よって第２ヒンジ部５は、第２ヒンジ一面２５Ａにおいて第２カム部２５Ｇの部分（第１ヒンジ左側面２５Ｃ寄りの中央部分）を保持部８の右側切欠部８ＡＹの底面から徐々に離間させて、第２カム端面２５ＧＸの縁を当該右側切欠部８ＡＹの底面に突き当てる。
【０１９０】
そして第２ヒンジ部５は、第１筐体２及び第２筐体３の開き角度の増加に応じて姿勢を変化させながら、保持部８の右側切欠部８ＡＹの底面に対する第２カム端面２５ＧＸの縁の接触位置を当該底面の中央から第２筐体一面３Ａ側へ変化させる。
【０１９１】
これにより第１ヒンジ部４及び第２ヒンジ部５は、第１筐体２及び第２筐体３の開き角度が大きくなるほど、変位用切欠部３Ｅ内で保持部８と共に第２表示部９を第２筐体一端側に変位させて保持部一端面８ＡＺを第１筐体一面２Ａに近づける。
【０１９２】
そして第１ヒンジ部４及び第２ヒンジ部５は、第１筐体２及び第２筐体３が例えば、「９０」度の角度に開かれたとき（図２７（Ａ）及び（Ｂ））、保持部８の保持部一端面８ＡＺを第１筐体一面２Ａの第１筐体一端寄りから僅かに浮いた状態にする。
【０１９３】
ただし、第１ヒンジ部４及び第２ヒンジ部５は、第１筐体２及び第２筐体３の開き角度が例えば「１２０」度よりも大きくなる（図２８及び図２９）と、保持部一端面８ＡＺを第１筐体一面２Ａと第１筐体一端面２Ｇとの角部に突き当てさせる。
【０１９４】
すなわち、保持部８は、第１筐体２及び第２筐体３が「１２０」度を越えてさらに開かれている間は、第１カム端面１５ＧＸ及び第２カム端面２５ＧＸから僅かに浮いた状態となる。
【０１９５】
この際、保持部８は、第１筐体一面２Ａの第１筐体一端寄りの縁に対する保持部一端面８ＡＺの接触位置を第２筐体一面３Ａ側へ変化させながら、第２表示部９と共に第２筐体一端側にさらに変位する。
【０１９６】
そして図３０（Ａ）及び（Ｂ）に示すように、第１ヒンジ部４は、第１筐体２及び第２筐体３の見開状態では、第１ヒンジ部長手方向を第１筐体奥行方向及び第２筐体奥行方向と平行にするように姿勢を変化させる。
【０１９７】
よって第１ヒンジ部４は、この際、第１筐体２の第１筐体左側切欠部２Ｅ内から第２筐体３の第２筐体左側切欠部３Ｆ内に亘って位置して、第１カム端面１５ＧＸを保持部８の左側切欠部８ＡＸの底面に突き当てる。
【０１９８】
また第２ヒンジ部５は、第１筐体２及び第２筐体３の見開状態では、第２ヒンジ部長手方向を第１筐体奥行方向及び第２筐体奥行方向と平行にするように姿勢を変化させる。
【０１９９】
よって第２ヒンジ部５は、この際、第１筐体２の第１筐体右側切欠部２Ｆ内から第２筐体３の第２筐体右側切欠部３Ｇ内に亘って位置して、第２カム端面２５ＧＸを保持部８の右側切欠部８ＡＹの底面に突き当てる。
【０２００】
これにより第１ヒンジ部４及び第２ヒンジ部５は、変位用切欠部３Ｅ内で保持部８と共に第２表示部９を第２筐体他端側に目一杯変位させて、当該保持部８の保持部一端面８ＡＺを第１筐体一端中央部の第１筐体一端面２Ｇに突き当てさせる。
【０２０１】
すなわち、第１ヒンジ部４及び第２ヒンジ部５は、第１筐体２及び第２筐体３の見開状態において第１筐体一面２Ａ及び第２筐体一面３Ａが並べられると、第２表示面９Ａを第１表示面６Ａに近接させる。
【０２０２】
従って第１ヒンジ部４及び第２ヒンジ部５は、このように第１筐体２及び第２筐体３の見開状態（図２１（Ｂ））では、第１表示部６の第１表示面６Ａと第２表示部９の第２表示面９Ａとをあたかも１つの表示面のように配置することができる。
【０２０３】
そして保持部８は、この際、第２筐体一端側へ付勢された状態で、平坦な保持部一端面８ＡＺを、第１筐体２の平坦な第１筐体一端面２Ｇに突き当てている。
【０２０４】
また第１ヒンジ部４及び第２ヒンジ部５は、上述のように平坦な第１カム端面１５ＧＸを保持部８の左側切欠部８ＡＸの平坦な底面に突き当てると共に、平坦な第２カム端面２５ＧＸを当該保持部８の右側切欠部８ＡＹの平坦な底面に突き当てる。
【０２０５】
これにより第１ヒンジ部４及び第２ヒンジ部５は、第１筐体２及び第２筐体３を見開状態にロック（固定）する。よって第１ヒンジ部４及び第２ヒンジ部５は、第１筐体２及び第２筐体３が例えば、見開状態で持ち上げられても、当該第１筐体２及び第２筐体３の開き角度が容易には変化しないように見開状態を維持することができる。
【０２０６】
また保持部８は、第１筐体２及び第２筐体３が見開状態からさらに開かれると、保持部一端面８ＡＺが第１筐体他面２Ｂと第１筐体一端面２Ｇとの角部に乗り上げて第１カム端面１５ＧＸ及び第２カム端面２５ＧＸから浮いた状態となる。
【０２０７】
そして保持部８は、この際、第１筐体他面２Ｂと第１筐体一端面２Ｇとの角部に対する保持部一端面８ＡＺの接触位置を第２筐体一面３Ａ側へ変化させながら、変位用切欠部３Ｅ内で第２表示部９と共に第２筐体他端側に再び変位する。
【０２０８】
この際、第１ヒンジ部４及び第２ヒンジ部５は、第１ヒンジ部長手方向及び第２ヒンジ長手方向を第１筐体奥行方向に対して徐々に傾けて第１筐体厚み方向に近づけるように姿勢を変化させる。
【０２０９】
その結果、第１ヒンジ部４は、第１筐体２及び第２筐体３が例えば「２４０」度まで開かれると、第１ヒンジ他面１５Ｂにおいて第１カム端面１５ＧＸの縁を、保持部８の左側切欠部８ＡＸの底面において第２筐体他面３Ｂ寄りに突き当てる。
【０２１０】
そして第１ヒンジ部４は、第１筐体２及び第２筐体３の開き角度の増加に応じて姿勢を変化させる。よって第１ヒンジ部４は、保持部８の左側切欠部８ＡＸの底面に対する第１カム端面１５ＧＸの縁の接触位置を、当該左側切欠部８ＡＸの底面において第２筐体他面３Ｂ側から中央側へ変化させる。
【０２１１】
また第２ヒンジ部５は、第１筐体２に対する第２筐体３が例えば、「２４０」度まで開かれると、第２ヒンジ他面２５Ｂにおいて第２カム端面２５ＧＸの縁を、保持部８の右側切欠部８ＡＹの底面において第２筐体他面３Ｂ寄りに突き当てる。
【０２１２】
そして第２ヒンジ部５も、第１筐体２及び第２筐体３の開き角度の増加に応じて姿勢を変化させる。よって第２ヒンジ部５は、保持部８の右側切欠部８ＡＹの底面に対する第２カム端面２５ＧＸの縁の接触位置を、当該右側切欠部８ＡＹの底面において第２筐体他面３Ｂ側から中央側へ変化させる。
【０２１３】
これにより第１ヒンジ部４及び第２ヒンジ部５は、第１筐体２及び第２筐体３が例えば、「２７０」度の角度に開かれたとき、保持部８の保持部一端面８ＡＺを第１筐体他面２Ｂの第１筐体一端寄りから僅かに浮いた状態にする。
【０２１４】
そして第１ヒンジ部４は、第１筐体２及び第２筐体３の開き角度の増加に応じてさらに姿勢を変化させると、保持部８の左側切欠部８ＡＸの底面に対する第１カム端面１５ＧＸの縁の接触位置を当該底面の中央側にさらに変化させる。
【０２１５】
また第２ヒンジ部５は、この際、第１筐体２及び第２筐体３の開き角度の増加に応じてさらに姿勢を変化させながら、保持部８の右側切欠部８ＡＹの底面に対する第２カム端面２５ＧＸの縁の接触位置を当該底面の中央側にさらに変化させる。
【０２１６】
これにより第１ヒンジ部４及び第２ヒンジ部５は、第１筐体２及び第２筐体３の開き角度が大きくなるほど、変位用切欠部３Ｅ内で保持部８と共に第２表示部９を第２筐体他端側に変位させて保持部一端面８ＡＺを第１筐体他面２Ａから離間させる。
【０２１７】
このようにして第１ヒンジ部４は、第１筐体２及び第２筐体３の開き角度の増加に応じて、第１ヒンジ他面１５Ｂにおいて第１カム部１５Ｇの部分（すなわち、第１ヒンジ右側面１５Ｄ寄りの中央部分）を保持部８の左側切欠部８ＡＸの底面に徐々に近づける。
【０２１８】
また第２ヒンジ部５は、第１筐体２及び第２筐体３の開き角度の増加に応じて、第２ヒンジ他面２５Ｂにおいて第２カム部２５Ｇの部分（すなわち、第１ヒンジ左側面２５Ｃ寄りの中央部分）を保持部８の右側切欠部８ＡＹの底面に徐々に近づける。
【０２１９】
そして第１ヒンジ部４は、第１筐体２及び第２筐体３の背中合状態では、第１ヒンジ部長手方向を、第１筐体厚み方向（及び第２筐体厚み方向）と平行にして第１筐体２の第１筐体左側切欠部２Ｅ内から第２筐体３の第２筐体左側切欠部３Ｆ内に亘って位置する。
【０２２０】
よって第１ヒンジ部４は、この際、第１ヒンジ他面１５Ｂにおいて第１カム部１５Ｇの部分（すなわち、第１ヒンジ右側面１５Ｄ寄りの中央から第１カム端面１５ＧＸの縁までの部分）を保持部８の左側切欠部８ＡＸの底面に突き当てる。
【０２２１】
また第２ヒンジ部５は、第１筐体２及び第２筐体３の背中合状態では、第２ヒンジ部長手方向を第１筐体厚み方向（及び第２筐体厚み方向）と平行にして第１筐体２の第１筐体右側切欠部２Ｆ内から第２筐体３の第２筐体右側切欠部３Ｇ内に亘って位置する。
【０２２２】
よって第２ヒンジ部５は、この際、第２ヒンジ他面２５Ｂにおいて第２カム部２５Ｇの部分（すなわち、第１ヒンジ左側面２５Ｃ寄りの中央から第２カム端面２５ＧＸの縁までの部分）を保持部８の右側切欠部８ＡＹの底面に突き当てる。
【０２２３】
これにより第１ヒンジ部４及び第２ヒンジ部５は、保持部８の保持部一端面８ＡＺを筐体厚みの１／２の距離だけ、第２筐体他端側に位置させるように、変位用切欠部３Ｅ内で当該保持部８と共に第２表示部９を第２筐体他端側に変位させる。
【０２２４】
すなわち、第１ヒンジ部４及び第２ヒンジ部５は、第１筐体２及び第２筐体３の背中合状態では、平面状の第１筐体一端面２Ｇと、平面状の保持部一端面８ＡＺとを離して位置させる。
【０２２５】
従って第１ヒンジ部４及び第２ヒンジ部５は、第１筐体２及び第３筐体３を背中合状態から第１筐体一端面２Ｇの縁と、保持部一端面８ＡＺの縁とが何ら引っ掛かることなく閉じさせることができる。
【０２２６】
すなわち、第１ヒンジ部４及び第２ヒンジ部５は、第１筐体２及び第２筐体３が背中合状態から閉じられるように操作されると、上述とは逆の手順で姿勢を変化させながら保持部８を第２表示部９と共に変位させて、最終的に折畳状態に戻すことができる。
【０２２７】
［１−３．実施の形態の動作及び効果］
以上の構成において、電子機器１は、第１筐体２及び第２筐体３を、第１筐体一端部に設けられた第１回動軸１６及び２６と、第２筐体一端部に設けられた第２回動軸１７及び２７とを有する第１ヒンジ部４及び第２ヒンジ部５を介して開閉可能に連結する。
【０２２８】
そして電子機器１は、第１筐体２及び第２筐体３の折畳状態及び背中合状態では、第２筐体３の第２筐体一面３Ａに設けられた第２表示部９を第２筐体他端側へ変位させ、第１筐体２及び第２筐体３の見開状態では、第２表示部９を第２筐体一端側へ変位させる。
【０２２９】
従って電子機器１は、第１筐体２及び第２筐体３の見開状態で第１筐体一面２Ａ内の第１表示面６Ａ及び第２筐体一面３Ａ内の第２表示面９Ａが目視される場合、当該第１表示面６Ａ及び第２表示面９Ａ上での視線の移動量を小さくすることができる。
【０２３０】
よって電子機器１は、第１筐体２及び第２筐体３の見開状態で第１筐体一面２Ａ内の第１表示面６Ａ及び第２筐体一面３Ａ内の第２表示面９Ａが目視される場合、目の疲れを低減させることができる。
【０２３１】
以上の構成によれば、電子機器１において第１筐体２及び第２筐体３を、第１筐体一端部に設けられた第１回動軸１６及び２６と、第２筐体一端部に設けられた第２回動軸１７及び２７とを有する第１ヒンジ部４及び第２ヒンジ部５を介して折畳状態から背中合状態までの範囲で開閉可能に連結し、第１筐体２及び第２筐体３の折畳状態及び背中合状態では、第２筐体一面３Ａに設けられた第２表示部９を第２筐体他端側に変位させ、第１筐体２及び第２筐体３の見開状態では、当該第２表示部９を第２筐体一端側へ変位させるようにした。これにより電子機器１は、第１筐体２及び第２筐体３の見開状態で第１筐体一面２Ａ内の第１表示面６Ａ及び第２筐体一面３Ａ内の第２表示面９Ａが目視される場合に視線の移動量を小さくして目の疲れを低減させることができる。従って電子機器１は、使い勝手を向上させることができる。
【０２３２】
また電子機器１では、第１筐体２の第１筐体一端部及び第２筐体３の第２筐体一端部において第１筐体左側面２Ｃ及び第２筐体左側面３Ｃ寄り及び第１筐体右側面２Ｄ及び第２筐体右側面３Ｄ寄りに第１ヒンジ部４及び第２ヒンジ部５を設けるようにした。これに加え電子機器１では、第２筐体３の第２筐体一面３Ａの中央部に第２表示部９を設けるようにした。
【０２３３】
これにより電子機器１は、第１筐体２及び第２筐体３の見開状態において第２表示部９を第１ヒンジ部４及び第２ヒンジ部５に遮らせずに第２筐体一端側へ変位させることができる。
【０２３４】
このため電子機器１は、第１筐体２及び第２筐体３の見開状態において第２表示部９の第２表示面一端を、第１筐体一面２Ａに設けられた第１表示部６の第１表示面一端に近接させることができる。
【０２３５】
よって電子機器１は、第１筐体２及び第２筐体３の見開状態において第１表示面６Ａ及び第２表示面９Ａ上での視線の移動量を大幅に小さくして目の疲れを格段的に低減させることができる。
【０２３６】
さらに電子機器１では、第１筐体２及び第２筐体３の厚みと、第１ヒンジ部４及び第２ヒンジ部５の厚みとが等しく選定されている。そして電子機器１では、第１筐体２及び第２筐体３に対し第１ヒンジ部４及び第２ヒンジ部５を、見開状態において第１筐体一面２Ａ及び第２筐体一面３Ａと、第１筐体他面２Ｂ及び第２筐体他面３Ｂとから突出しないように設けるようにした。
【０２３７】
これにより電子機器１は、第１筐体２及び第２筐体３が見開状態に開かれた場合、当該第１筐体２及び第２筐体３全体を１枚の板状の筐体とすることができる。
【０２３８】
そして電子機器１は、この際、第１筐体２及び第２筐体３において第１筐体一面２Ａ及び第２筐体一面３Ａからなる１つの大きな面の中央部に第１表示面６Ａ及び第２表示面９Ａをあたかも１つの大型の表示面のように配置して使用させることができる。
【０２３９】
さらに電子機器１では、第１ヒンジ部４及び第２ヒンジ部５において第１回動軸１６、２６及び第２回動軸１７、２７を第１プーリ１８、２８及び第２プーリ１９、２９等と共に第１ヒンジケース１５及び第２ヒンジケース２５に収納するようにした。
【０２４０】
従って電子機器１は、第１ヒンジ部４及び第２ヒンジ部５において第１回動軸１６、２６及び第２回動軸１７、２７並びに第１プーリ１８、２８及び第２プーリ１９、２９等を埃等から保護して常に最適な状態で機能させることができる。
【０２４１】
さらに電子機器１では、第２筐体３の第２筐体一面３Ａに設けられた第２表示部９をばねにより第２筐体一端側へ付勢するようにした。さらにまた電子機器１では、第１ヒンジ部４及び第２ヒンジ部５の第１ヒンジケース１５及び第２ヒンジケース２５に第１カム部１５Ｇ及び第２カム部２５Ｇを設けるようにした。
【０２４２】
そして電子機器１は、第１筐体２及び第２筐体３の開閉に応じて、第１ヒンジ部４及び第２ヒンジ部５の姿勢を変化させて第１カム部１５Ｇ及び第２カム部２５Ｇにより、第２表示部９を第２筐体他端側へ変位させ、また第２筐体一端側へ変位させるようにした。
【０２４３】
従って電子機器１は、第１筐体２及び第２筐体３を開閉させるだけの簡易な操作で、第２表示部９を折畳状態及び背中合状態では第２筐体他端側へ容易に変位させ、見開状態では第２筐体一端側へ容易に変位させることができる。
【０２４４】
ただし電子機器１は、第１筐体２及び第２筐体３を見開状態から折り畳むために閉じ始めるときには、保持部８の保持部一端面８ＡＺを第１筐体一面２Ａと第１筐体一端面２Ｇとの角部に乗り上げさせて第２表示部９を第２筐体他端側へ変位させる。
【０２４５】
すなわち、電子機器１は、第１筐体２及び第２筐体３を見開状態から閉じるとき、第１カム部１５Ｇ及び第２カム部２５Ｇを利用せずに、第１筐体一面２Ａと第１筐体一端面２Ｇとの角部を利用して保持部８と共に第２表示部９を第２筐体他端側へ変位させる。
【０２４６】
また電子機器１は、第１筐体２及び第２筐体３を見開状態から背中合わせのためにさらに開き始めるときには、保持部８の保持部一端面８ＡＺを第１筐体他面２Ｂと第１筐体一端面２Ｇとの角部に乗り上げさせて第２表示部９を第２筐体他端側へ変位させる。
【０２４７】
すなわち、電子機器１は、第１筐体２及び第２筐体３を見開状態からさらに開くとき、第１カム部１５Ｇ及び第２カム部２５Ｇを利用せずに、第１筐体他面２Ｂと第１筐体一端面２Ｇとの角部を利用して保持部８と共に第２表示部９を第２筐体他端側へ変位させる。
【０２４８】
よって電子機器１は、それぞれ平坦な第１カム端面１５ＧＸ及び第２カム端面２５ＧＸと保持部８の左側切欠部８ＡＸの底面及び右側切欠部８ＡＹの底面との摩擦係数が大きい場合でも、第２表示部９を確実に変位させることができる。
【０２４９】
すなわち、電子機器１は、第１筐体２及び第２筐体３を見開状態から閉じ始めたときや開き始めたときに、第１カム端面１５ＧＸ及び第２カム端面２５ＧＸと保持部８の左側切欠部８ＡＸの底面及び右側切欠部８ＡＹの底面とが噛み合うことを回避して、当該保持部８と共に第２表示部９を第２筐体他端側へ確実に変位させることができる。
【０２５０】
よって電子機器１は、第１筐体２及び第２筐体３の開閉に応じて、第２表示部９を第２筐体一端側及び第２筐体他端側へ容易にかつ的確に変位させることができる。
【０２５１】
さらに電子機器１は、第１ヒンジ部４及び第２ヒンジ部５において第１回動軸１６、２６の一端及び第２回動軸１７、２７の一端に固定した第１プーリ１８、２８及び第２プーリ１９、２９にワイヤ２０、３０を八の字状に掛けるようにした。
【０２５２】
従って電子機器１は、第１ヒンジ部４及び第２ヒンジ部５を極力小型化することができる。その結果、電子機器１は、第１筐体２及び第２筐体３を、第１左側軸形成部２Ｈと第２左側軸形成部３Ｈを近接させると共に、第１右側軸形成部２Ｊと第２右側軸形成部３Ｊとを近接させて折畳状態から背中合状態までの間で自由に開閉させることができる。
【０２５３】
このように電子機器１は、第１筐体２及び第２筐体３の折畳状態では、全体を小型化して容易に持ち運ばせることができる。そして電子機器１は、この際、第１表示面６Ａ及び第２表示面９Ａを外部から隠蔽して保護し得ると共に、第１タッチパネル７及び第２タッチパネル１０が誤操作されることを防止することができる。
【０２５４】
また電子機器１は、第１筐体２及び第２筐体３が見開状態では、第１表示面６Ａ及び第２表示面９Ａを面一とし、かつ近接させて、あたかも１つの大きな表示面として１又は複数の画像を表示することができる。そして電子機器１は、この際、あたかも１つの大きな表示面上でタッチ操作させることができる。
【０２５５】
さらに電子機器１は、第１筐体２及び第２筐体３の背中合状態でも、全体を小型化して容易に持ち運ばせることができる。そして電子機器１は、この際、例えば、持ち運び途中でも第１表示面６Ａ及び第２表示面９Ａを露出させて種々の画像を表示し得ると共に、その第１表示面６Ａ及び第２表示面９Ａ上でタッチ操作させることもできる。
【０２５６】
このようにして電子機器１は、第１筐体２及び第２筐体３の折畳状態から背中合状態までの状態遷移と、見開状態での第１表示面６Ａと第２表示面９Ａとの近接配置とを、第１筐体２及び第２筐体３を開閉する１つの動作で容易に実現することができる。
【０２５７】
＜２．変形例＞
［２−１  変形例１］
なお上述した実施の形態においては、第１ヒンジ部４及び第２ヒンジ部５の第１カム端面１５ＧＸ及び第２カム端面２５ＧＸと、保持部８の左側切欠部８ＡＸの底面及び右側切欠部８ＡＹの底面とを平坦に形成するようにした場合について述べた。
【０２５８】
しかしながら本発明は、これに限らず、図３１に示すように、第１ヒンジ部４０及び第２ヒンジ部４１の第１カム端面４０Ａ及び第２カム端面４１Ａを凸状に形成するようにしても良い。
【０２５９】
また本発明は、第１カム端面４０Ａ及び第２カム端面４１Ａの形状に合せて、保持部４２の左側切欠部４２Ａの底面及び右側切欠部４２Ｂの底面を凹状に形成するようにしても良い。
【０２６０】
本発明は、かかる構成によれば、第１筐体２及び第２筐体３を見開状態から閉じ始めるとき、第１カム端面４０Ａ及び第２カム端面４１Ａの中央の凸部を、保持部４２の左側切欠部４２Ａの底面及び右側切欠部４２Ｂの底面の端の凸部に突き当てることができる。
【０２６１】
すなわち、本発明は、第１筐体２及び第２筐体３を見開状態から閉じるとき、保持部４２の保持部一端面４２Ｃを第１筐体一面２Ａと第１筐体一端面２Ｇとの角部に乗り上げさせることなく、第１カム端面４０Ａ及び第２カム端面４１Ａのみを利用して当該保持部４２と共に第２表示部９を第２筐体他端側へ変位させることができる。
【０２６２】
また本発明は、第１筐体２及び第２筐体３を見開状態からさらに開き始めるときにも、第１カム端面４０Ａ及び第２カム端面４１Ａの中央の凸部を、保持部４２の左側切欠部４２Ａの底面及び右側切欠部４２Ｂの底面の端の凸部に突き当てることができる。
【０２６３】
すなわち、本発明は、第１筐体２及び第２筐体３を見開状態からさらに開くときにも、保持部４２の保持部一端面４２Ｃを第１筐体一面２Ａと第１筐体一端面２Ｇとの角部に乗り上げさせることなく、第１カム端面４０Ａ及び第２カム端面４１Ａのみを利用して当該保持部４２と共に第２表示部９を第２筐体他端側へ変位させることができる。
【０２６４】
言い換えると、本発明は、かかる構成により、第１筐体他面２Ｂと第１筐体一端面２Ｇとの角部は利用せずに、第１カム端面４０Ａ及び第２カム端面４１Ａを利用して、第１筐体２及び第２筐体３の開閉に応じて第２表示部９を第２筐体一端側及び第２筐体他端側へ容易にかつ的確に変位させることができる。
【０２６５】
［２−２  変形例２］
また上述した実施の形態においては、第１筐体２の第１筐体一面２Ａに第１表示部６を設けるようにした場合について述べた。しかしながら本発明は、これに限らず、第１筐体２の第１筐体一面２Ａに複数の操作キーを配置して当該第１筐体２をキーボードとして機能させるようにしても良い。
【０２６６】
本発明は、かかる構成によっても上述した実施の形態の場合と同様に、第１筐体２及び第２筐体３の見開状態で第１筐体一面２Ａ内の複数の操作キー及び第２筐体一面３Ａ内の第２表示面９Ａが目視される場合に視線の移動量を小さくすることができる。
【０２６７】
従って本発明は、かかる構成によっても、第１筐体２及び第２筐体３の見開状態で第１筐体一面２Ａ内の複数の操作キー及び第２筐体一面３Ａ内の第２表示面９Ａが目視される場合の目の疲れを低減させ、かくして使い勝手を向上させることができる。
【０２６８】
［２−３  変形例３］
さらに上述した実施の形態においては、第１筐体２及び第２筐体３を２個の第１ヒンジ部４及び第２ヒンジ部５を介して開閉可能に連結するようにした場合について述べた。
【０２６９】
しかしながら本発明は、これに限らず、第１筐体２及び第２筐体３を１個のヒンジ部を介して開閉可能に連結するようにしても良い。そして本発明は、かかる構成の場合、例えば、第１筐体一端部及び第２筐体一端部の第１筐体左側面２Ｃ及び第２筐体左側面３Ｃと、第１筐体右側面２Ｄ及び第２筐体右側面３Ｄとの一方寄りにヒンジ部を設けるようにしても良い。
【０２７０】
［２−４  変形例４］
さらに上述した実施の形態においては、第１ヒンジ部４及び第２ヒンジ部５の配置用に第１筐体一端部において第１筐体左側面２Ｃ寄りに第１筐体左側切欠部２Ｅを形成すると共に、第１筐体右側面２Ｄ寄りに第１筐体右側切欠部２Ｆを形成するようにした。
【０２７１】
また上述した実施の形態においては、第１ヒンジ部４及び第２ヒンジ部５の配置用に第２筐体一端部において第２筐体左側面３Ｃ寄りに第２筐体左側切欠部３Ｆを形成すると共に、第２筐体右側面３Ｄ寄りに第２筐体右側切欠部３Ｇを形成するようにした場合について述べた。
【０２７２】
しかしながら本発明は、これに限らず、第１ヒンジ部及び第２ヒンジ部の配置用に第１筐体において第１筐体左側面の第１筐体一端部に左側切欠部を形成すると共に、第１筐体右側面の第１筐体一端部に右側切欠部を形成する。
【０２７３】
また本発明は、第１ヒンジ部及び第２ヒンジ部の配置用に第２筐体において第２筐体左側面の第２筐体一端部に左側切欠部を形成すると共に、第２筐体右側面の第２筐体一端部に右側切欠部を形成する。
【０２７４】
そして本発明は、第１筐体において第１筐体左側面の左側切欠部の内壁に第１筐体幅方向と平行に第１回動軸を設けると共に、第１筐体右側面の右側切欠部の内壁に第１筐体幅方向と平行に第２回動軸を設ける。
【０２７５】
また本発明は、第２筐体において第２筐体左側面の左側切欠部の内壁に第２筐体幅方向と平行に第１回動軸を設けると共に、第２筐体右側面の右側切欠部の内壁に第２筐体幅方向と平行に第２回動軸を設ける。
【０２７６】
これにより本発明は、第１筐体左側面の左側切欠部及び第２筐体左側面の左側切欠部に亘って、第１回動軸及び第２回動軸を有する第１ヒンジ部を配置する。
【０２７７】
また本発明は、第１筐体右側面の右側切欠部及び第２筐体右側面の右側切欠部に亘って、第１回動軸及び第２回動軸を有する第２ヒンジ部を配置する。このようにして本発明は、第１筐体及び第２筐体を、第１ヒンジ部及び第２ヒンジ部を介して開閉可能に連結するようにしても良い。
【０２７８】
本発明は、かかる構成の場合、第１ヒンジ部及び第２ヒンジ部に上述と同様に第１カム部及び第２カム部を設けることもできる。そして本発明は、かかる構成の場合、上述した実施の形態に比べて、第１筐体及び第２筐体の幅を狭め、又は保持部の幅を広げることで、第１カム部及び第２カム部により保持部と共に第２表示部を変位させることができる。
【０２７９】
［２−５  変形例５］
さらに上述した実施の形態においては、本発明の電子機器を、図１乃至図３１について上述した電子機器１に適用するようにした場合について述べた。
【０２８０】
しかしながら本発明は、これに限らず、電子機器を、折畳型のＰＤＡ（Personal  Digital  Assistance）や折畳型のパーソナルコンピュータ（すなわち、ノートブック型のコンピュータ）、折畳型の携帯電話機、折畳型の携帯ゲーム機器に適用することができる。
【０２８１】
すなわち、本発明は、表示部又は操作部が設けられた第１筐体と、表示部が設けられた第２筐体とをヒンジ部を介して回動自在に連結して形成される電子機器のように、この他種々の構成の折畳型の電子機器に広く適用することができる。
【０２８２】
［２−６  変形例６］
さらに上述した実施の形態においては、第１筐体として、図１乃至図３１について上述した略偏平矩形状の第１筐体２を適用するようにした場合について述べた。
【０２８３】
しかしながら本発明は、これに限らず、一面及び他面がレーストラック形状や楕円形状、台形状に形成された第１筐体や、第２筐体とは厚みの異なる第１筐体等のように、この他種々の構成の第１筐体を広く適用することができる。
【０２８４】
［２−７  変形例７］
さらに上述した実施の形態においては、第２筐体として、図１乃至図３１について上述した略偏平矩形状の第２筐体３を適用するようにした場合について述べた。
【０２８５】
しかしながら本発明は、これに限らず、一面及び他面がレーストラック形状や楕円形状、台形状に形成された第２筐体や、第１筐体とは厚みの異なる第２筐体等のように、この他種々の構成の第２筐体を広く適用することができる。
【０２８６】
［２−８  変形例８］
さらに上述した実施の形態においては、第１筐体の第１筐体一端部に設けられた第１回動軸と、第２筐体の第２筐体一端部に設けられた第２回動軸とを有し、第１回動軸及び第２回動軸を介して第１筐体及び第２筐体を折畳状態から背中合状態までの範囲で開閉可能に連結するヒンジ部として、図１乃至図３１について上述した第１ヒンジ部４及び第２ヒンジ部５を適用するようにした場合について述べた。
【０２８７】
しかしながら本発明は、これに限らず、第１筐体２及び第２筐体３の一方の側面側にのみ設けられたヒンジ部や、ヒンジケースを有さず、第１及び第２回動軸１６、２６及び１７、２７を第１及び第２プーリ１８、２８及び１９、２９と共に露出させたヒンジ部を適用することができる。
【０２８８】
また本発明は、第１及び第２回動軸の一端各々に固定された少なくとも２個の歯車を有し、当該少なくとも２個の歯車を直接又は他の偶数個の歯車を介して歯合させて第１及び第２回動軸を反対方向に回動させるヒンジ部等のように、この他種々の構成のヒンジ部を広く適用することができる。
【０２８９】
［２−９  変形例９］
さらに上述した実施の形態においては、第２筐体の第２筐体一面に設けられた表示部として、図１乃至図３１について上述した第２表示部９を適用するようにした場合について述べた。
【０２９０】
しかしながら本発明は、これに限らず、タッチパネルと一体化された表示パネルや、シート状の表示部等のように、この他種々の構成の表示部を広く適用することができる。
【０２９１】
［２−１０  変形例１０］
さらに上述した実施の形態においては、第１筐体及び第２筐体の折畳状態及び背中合状態では、表示部を第２筐体の第２筐体他端側に変位させ、第１筐体及び第２筐体の見開状態では、表示部を第２筐体一端側へ変位させる変位部として、図１乃至図３１について上述した第１及び第２ヒンジ部４及び５の第１及び第２ヒンジケース１５及び２５に設けられた第１及び第２カム部１５Ｇ及び２５Ｇを適用するようにした場合について述べた。
【０２９２】
しかしながら本発明は、これに限らず、第２筐体２に設けられた第２表示部９を第２筐体一端側に付勢するばねと、第１及び第２プーリ１８、２８及び１９、２９の一方と第２表示部９において第２筐体他端側の端部とをつなぐワイヤとから構成された変位部等のように、この他種々の構成の変位部を適用することができる。
【０２９３】
ところで、本発明は、変位部をばねとワイヤとから構成する場合、第１筐体２及び第２筐体３の見開状態では、ワイヤを撓ませてばねにより第２表示部９を第２筐体一端側や付勢して変位させる。
【０２９４】
また本発明は、変位部をばねとワイヤとから構成する場合、第１筐体２及び第２筐体３の折畳状態及び背中合せ状態では、第１及び第２プーリ１８、２８及び１９、２９の一方によりワイヤを所定量だけ巻き取って第２表示部９を第２筐体他端側に変位させる。
【０２９５】
すなわち、本発明は、このように変位部をばねとワイヤとから構成した場合でも、上述した実施の形態と同様に、第１筐体２及び第２筐体３の開閉に応じて第２表示部９を変位させることができる。
【０２９６】
［２−１１  変形例１１］
さらに上述した実施の形態においては、第１筐体及び第２筐体の厚みと等しい厚みを有し、第１回動軸及び第２回動軸を収納するヒンジケースとして、図１乃至図３１について上述した第１及び第２ヒンジケース１５及び２５を適用するようにした場合について述べた。
【０２９７】
しかしながら本発明は、これに限らず、カム部を除いて形成されたヒンジケース等のように、この他種々の構成のヒンジケースを広く適用することができる。
【０２９８】
［２−１２  変形例１２］
さらに上述した実施の形態においては、第１筐体の第１筐体一面の中央部に設けられた表示部として、図１乃至図３１について上述した第１表示部６を適用するようにした場合について述べた。
【０２９９】
しかしながら本発明は、これに限らず、タッチパネルと一体化された表示パネルや、シート状の表示部等のように、この他種々の構成の表示部を広く適用することができる。
【産業上の利用可能性】
【０３００】
本発明は、折畳型の携帯端末や折畳型のパーソナルコンピュータ、折畳型の携帯電話機、折畳型の携帯ゲーム機器等の電子機器に利用することができる。
【符号の説明】
【０３０１】
１……電子機器、２……第１筐体、２Ｅ……第１筐体左側切欠部、２Ｆ……第１筐体右側切欠部、２Ｇ……第１筐体一端面、２Ｈ……第１左側軸形成部、２Ｊ……第１右側軸形成部、３……第２筐体、３Ｅ……変位用切欠部、３Ｆ……第２筐体左側切欠部、３Ｇ……第２筐体右側切欠部、３Ｈ……第２左側軸形成部、３Ｊ……第２右側軸形成部、４、４０……第１ヒンジ部、５、４１……第２ヒンジ部、６……第１表示部、６Ａ……第１表示面、７……第１タッチパネル、８、４２……保持部、８ＡＸ、４２Ａ……左側切欠部、８ＡＹ、４２Ｂ……右側切欠部、８ＡＺ、４２Ｃ……保持部一端面、９……第２表示部、９Ａ……第２表示面、１０……第２タッチパネル、１５……第１ヒンジケース、１５Ｇ……第１カム部、１５ＧＸ、４０Ａ……第１カム端面、１６、２６……第１回動軸、１７、２７……第２回動軸、１８、２８……第１プーリ、１９、２９……第２プーリ、２０、３０……ワイヤ、２５……第２ヒンジケース、２５Ｇ……第２カム部、２５ＧＸ、４１Ａ……第２カム端面。
【図１】
2012057662.tif 000003
【図２】
2012057662.tif 000004
【図３】
2012057662.tif 000005
【図４】
2012057662.tif 000006
【図５】
2012057662.tif 000007
【図６】
2012057662.tif 000008
【図７】
2012057662.tif 000009
【図８】
2012057662.tif 000010
【図９】
2012057662.tif 000011
【図１０】
2012057662.tif 000012
【図１１】
2012057662.tif 000013
【図１２】
2012057662.tif 000014
【図１３】
2012057662.tif 000015
【図１４】
2012057662.tif 000016
【図１５】
2012057662.tif 000017
【図１６】
2012057662.tif 000018
【図１７】
2012057662.tif 000019
【図１８】
2012057662.tif 000020
【図１９】
2012057662.tif 000021
【図２０】
2012057662.tif 000022
【図２１】
2012057662.tif 000023
【図２２】
2012057662.tif 000024
【図２３】
2012057662.tif 000025
【図２４】
2012057662.tif 000026
【図２５】
2012057662.tif 000027
【図２６】
2012057662.tif 000028
【図２７】
2012057662.tif 000029
【図２８】
2012057662.tif 000030
【図２９】
2012057662.tif 000031
【図３０】
2012057662.tif 000032
【図３１】
2012057662.tif 000033